(57)【要約】【課題】本発明は、家畜の種類に対応でき、夏季の暑さ対策に有効な畜舎用換気送風システムを提供することを目的とするものである。【解決手段】畜舎１の一方の壁面に設けられた複数の換気扇３を有する畜舎１において、前記一方の壁面以外と前記一方の壁面に対向する壁面以外の側壁面４に開閉機構１０を備えた複数の送風開口７を設け、送風開口７は、家畜の頭の高さ近傍に配置した畜舎用換気送風システム。【選択図】図１
2018123968.tif 000002
【特許請求の範囲】
【請求項１】
畜舎の一方の壁面に設けられた複数の換気扇を有する畜舎において、前記一方の壁面と前記一方の壁面に対向する壁面以外の側壁面に開閉機構を備えた複数の送風開口を設け、
前記送風開口は、家畜の頭の高さ近傍に配置したことを特徴とする畜舎用換気送風システム。
【請求項２】
畜舎内側において、前記送風開口は、前記送風開口の上部に上部風向内ガイドを備えたことを特徴とする請求項１に記載の畜舎用換気送風システム。
【請求項３】
前記上部風向内ガイドは、壁面から略垂直方向に延伸したものであることを特徴とする請求項２に記載の畜舎用換気送風システム。
【請求項４】
前記送風開口は、畜舎内部に前記送風開口の側部に側部風向内ガイドを備えたことを特徴とする請求項２または３に記載の畜舎用換気送風システム。
【請求項５】
前記側部風向内ガイドは、壁面から略垂直方向に延伸したものであることを特徴とする請求項４に記載の畜舎用換気送風システム。
【請求項６】
畜舎内側において前記送風開口は前記送風開口の上部に上部風向内ガイドを備え、前記開閉機構は、畜舎内側に開閉軸と扉を備え、前記開閉軸が前記送風開口の上部に位置し、前記開閉軸を中心に前記扉が上方向に開くものであって、前記扉の開状態時に前記上部風向内ガイドとなることを特徴とする請求項１に記載の畜舎用換気送風システム。
【請求項７】
畜舎内側において前記送風開口は前記送風開口の側部に側部ガイドを備え、前記開閉機構の扉は、前記扉の側面に接続された板体を備えたものであって、前記扉の開状態時に、前記板体が側部風向内ガイドとなることを特徴とする請求項６に記載の畜舎用換気送風システム。
【請求項８】
畜舎外側において、前記送風開口は、前記送風開口の上部に上部風向外ガイドを備えたことを特徴とする請求項１〜７のいずれか一つに記載の畜舎用換気送風システム。
【請求項９】
前記上部風向外ガイドは、壁面から略垂直方向に延伸したものであることを特徴とする請求項８に記載の畜舎用換気送風システム。
【請求項１０】
前記開閉機構は、前記送風開口内に複数の可動式板体を備えたものであって、前記可動式板体が開状態時に前記側面と略垂直となることを特徴とする請求項１に記載の畜舎用換気送風システム。
【請求項１１】
請求項１〜１０のいずれか一つに記載の畜舎用換気送風システムを備えたことを特徴とする畜舎。
【発明の詳細な説明】
【技術分野】
【０００１】
本発明は、畜舎用換気送風システムに関するものである。
【背景技術】
【０００２】
従来、この種の畜舎用換気送風システムは、例えば特許文献１のような換気装置や、特許文献２のような畜舎換気方法が考えられている。一般に、換気送風システムを設置する畜舎は、長方形の床面上に建てられている。
【０００３】
特許文献１の換気装置においては、図８に示すように、畜舎１０１は、床面の短辺側の壁面に、畜舎１０１内の空気を外部に排気する排気ファン１０２が複数台設置されている。排気ファン１０２が設置されている壁面とは反対側壁面には、畜舎１０１内に外気を給気するための外気吸込口１０３が設けられている。畜舎１０１内には、温度センサー１０４が複数個、温度センサー１０４ａ〜ｃとして備えられており、この温度センサー１０４で検知された温度が高い場合には、排気ファン１０２の回転数を上げ、検知された温度が低い場合には、換気扇１０２の回転数を下げるものが開示されている。
【０００４】
また、引用文献２には、図９に示すように、畜舎２０１では、床面の長辺側の壁面（いわゆる側壁面）に、複数の排気ファン２０２を設置し、排気ファン２０２を設けた側壁面と対向する側壁面に外気を畜舎２０１内に取り入れる給気口２０３を設け、畜舎２０１内を短辺方向に横断した換気をするものが開示されている。
【先行技術文献】
【特許文献】
【０００５】
【特許文献１】特開２００６−１７４７９１号公報
【特許文献２】特開昭５４−１１９７５１号公報
【発明の概要】
【発明が解決しようとする課題】
【０００６】
上記従来例では、家畜の飼育に適正な畜舎内風速を得るために、非常に多くの排気ファンを設置する必要があり、設備が大掛かりになるという問題点を有していた。
【０００７】
例えば、家畜が鶏（ブイロラー）である場合、飼育管理として、鶏の体感温度は、生後０〜１４日齢では、２６〜３２℃で鶏近傍の気流は無し、１５〜３５日齢では、１９〜２６℃で気流の風速は１ｍ／ｓ以上、３６日齢以上では、１８〜１９℃で気流は風速１ｍ／ｓ以上で飼育する必要があることが一般的に知られている。
【０００８】
特に、成長した鶏である３６日齢〜出荷まで（約５０日齢）は暑さに弱いため、畜舎内温度が高い場合は、鶏の体感温度を下げるために風速３ｍ／ｓの気流を発生させなければならない。一般的な鶏用の畜舎（１０ｍ×４５ｍの約１５０坪の建築面積で、天井高さの平均値が３ｍ）で計算すると、畜舎内で気流の３ｍ／ｓを得るためには、特許文献１に記載のように長辺方向に気流を発生させた場合は、５４００ｍ3／ｍｉｎの風量が必要であり、この風量を一般的な３００ｍ3／ｍｉｎの排気ファンで実現した場合を想定すると１８台必要になる。
【０００９】
また、特許文献２に記載のように短辺方向に気流を発生させた場合は、２４３００ｍ3／ｍｉｎの風量が必要であり、この風量を一般的な３００ｍ3／ｍｉｎの排気ファンで実現した場合を想定すると８１台必要になる。
【００１０】
一方、成長した鶏に対しては、畜舎内温度の調整とは別に、酸素、二酸化炭素、アンモニアなどの臭気を含め、最適な空気環境を得るために、換気回数３０回／ｈで換気を行う必要がある。上記のような一般的な鶏用の畜舎では、最低必要な換気量は、６７５ｍ3／ｍｉｎである。すなわち、特許文献１の構成において、上述のように風速３ｍ／ｓを得るための排気ファンの台数は１８台であるが、最低必要な換気量を満たすだけの場合でも、その１／８の台数（２台程度）は必要になる。
【００１１】
また、特許文献２に記載の方式において、給気口を下部に設けた場合においても、排気ファンは給気口から外気を取り入れて畜舎の換気をしているため、排気ファンの直下に位置する鶏にまでは気流を到達させることはできず、鶏に最適な気流を与えることができないという課題があった。
【００１２】
そこで本発明では、畜舎内での最低換気量を維持し、かつ、畜舎内で広範囲の家畜に最適な気流を与えることができる畜舎用換気送風システムを提供することを目的とする。
【課題を解決するための手段】
【００１３】
そして、この目的を達成するために、本発明は、畜舎の一方の壁面に複数の換気扇を有する畜舎において、前記一方の壁面および前記一方の壁面に対向する壁面以外の側壁面に開閉機構を備えた複数の送風開口を設け、前記送風開口は家畜の頭の高さ近傍に配置することにより所期の目的を達成するものである。
【発明の効果】
【００１４】
以上のように本発明は、家畜の頭の高さ近傍に配置された送風開口から畜舎内に流入した気流は、家畜の近傍を流れた上で畜舎の一方の壁面に設けられた換気扇に流れるため、
畜舎内において、家畜近傍の風速が早くなり、畜舎内の最低換気量を維持しつつ、家畜近傍の温度もしくは家畜の体温を下げることが可能であり、家畜にとって有効な風速を得ることができ、急速に家畜の体温を下げることができる畜舎用換気送風システムを提供することができるものである。
【００１５】
すなわち、家畜の頭の高さ近傍に配置された送風開口により、酷暑において風冷を必要とする成長した鶏近傍に、畜舎内の平均風速よりも大きい風速の気流を供給することができ、鶏の体温を効果的に下げることができ、飼育管理を向上させることができる。
【００１６】
このように、夏季の酷暑であっても、鶏のストレス度合いが少なく、鶏の体温を効果的に下げることができ畜舎用換気送風システムを提供することができる。
【図面の簡単な説明】
【００１７】
【図１】本発明の実施の形態１の畜舎用換気送風システムを示す概略側面断面図
【図２】本発明の実施の形態１の送風開口の開状態の概略断面図
【図３】本発明の実施の形態１の送風開口の閉状態の概略断面図
【図４】本発明の実施の形態１のブロイラーの最適飼育温度を示す図
【図５】本発明の実施の形態１のブロイラーの風速による体感温度の低下温度を示す図
【図６】本発明の実施の形態１の畜舎内温度に対する畜舎内の対応風速を示す図
【図７】本発明の実施の形態１の１週間毎に測定した２０羽の平均体重を示す図
【図８】特許文献１の畜舎用換気送風システムを示す概略図
【図９】特許文献２の畜舎用換気送風システムを示す概略図
【発明を実施するための形態】
【００１８】
本発明の請求項１に係る畜舎用換気送風システムは、畜舎の一方の壁面に設けられた複数の換気扇を有する畜舎において、前記一方の壁面と前記一方の壁面に対向する壁面以外の側壁面に開閉機構を備えた複数の送風開口を設け、前記送風開口は、家畜の頭の高さ近傍に配置したことを特徴とする特徴とするものである。
【００１９】
これにより、家畜の頭高さ近傍に配置した送風開口により、鶏近傍に畜舎内の平均風速よりも大きい風速にて所定の風速の気流を供給することができる畜舎用換気送風システムを提供することができる。
【００２０】
また、請求項２に係る畜舎用換気送風システムは、畜舎内側において、前記送風開口は、前記送風開口の上部に上部風向内ガイドを備える構成としてもよい。
【００２１】
これにより、家畜の頭高さ近傍に配置した送風開口から鶏舎内部に流入した気流が、送風開口の鶏舎内側に設けた上部風向内ガイドにより、鶏舎内上方に拡散することを抑制することができるとともに、鶏舎に流入した気流の直進性を増すことができ、送風開口から遠くに位置する鶏舎中央部付近の家畜の頭高さにおいても、所定の風速の気流を供給することができ、畜舎内で広範囲において家畜の体温を効果的に下げることができる畜舎用換気送風システムを提供することができる。
【００２２】
また、請求項３に係る畜舎用換気送風システムは、前記上部風向内ガイドは、壁面から略垂直方向に延伸した構成としてもよい。
【００２３】
これにより家畜の頭高さ近傍に配置した送風開口から鶏舎内部に流入した気流が、送風開口の鶏舎内側に設けた上部風向内ガイドにより、鶏舎内上方に拡散することを抑制することができるとともに、上部風向内ガイドが壁面から略垂直方向に延伸しているため、鶏舎に流入した気流の直進性を増すことができ、送風開口から遠くに位置する鶏舎中央部付近の家畜の頭高さにおいても、所定の風速の気流を供給することができ、畜舎内で広範囲において家畜の体温を効果的に下げることができる畜舎用換気送風システムを提供することができる。
【００２４】
また、請求項４に係る畜舎用換気送風システムは、前記送風開口は、畜舎内部に前記送風開口の側部に側部風向内ガイドを備えた構成にしてもよい。
これにより、家畜の頭高さ近傍に配置した送風開口から鶏舎内部に流入した気流が、送風開口の鶏舎内側に設けた側部風向内ガイドにより、送風開口近傍において横方向に拡散することを抑制することができるとともに、鶏舎に流入した気流の直進性を増すことができ、送風開口から遠くに位置する鶏舎中央部付近の家畜の頭高さにおいても、所定の風速の気流を供給することができ、畜舎内で広範囲において家畜の体温を効果的に下げることができる畜舎用換気送風システムを提供することができる。
【００２５】
また、請求項５に係る畜舎用換気送風システムは、前記側部風向内ガイドは、壁面から略垂直方向に延伸した構成としてもよい。
【００２６】
これにより、家畜の頭高さ近傍に配置した送風開口から鶏舎内部に流入した気流が、送風開口の鶏舎内側に設けた側部風向内ガイドにより、送風開口近傍において横方向に拡散することを抑制することができるとともに、側部風向内ガイドが壁面から略垂直方向に延伸しているため、鶏舎に流入した気流の直進性を増すことができ、送風開口から遠くに位置する鶏舎中央部付近の家畜の頭高さにおいても、所定の風速の気流を供給することができ、畜舎内で広範囲において家畜の体温を効果的に下げることができる畜舎用換気送風システムを提供することができる。
【００２７】
また、請求項６に係る畜舎用換気送風システムは、畜舎内側において前記送風開口は前記送風開口の上部に上部風向内ガイドを備え、前記開閉機構は、畜舎内側に開閉軸と扉を備え、前記開閉軸が前記送風開口の上部に位置し、前記開閉軸を中心に前記扉が上方向に開くものであって、前記扉の開状態時に前記上部風向内ガイドとなる構成としてもよい。
【００２８】
これにより、扉が開状態、すなわち送風開口から鶏舎内部に気流が流入する場合、扉が上部風向内ガイドとなり、家畜の頭高さ近傍に配置した送風開口から鶏舎内部に流入した気流が、送風開口の鶏舎内側に設けた上部風向内ガイドにより、鶏舎内上方に拡散することを抑制することができるとともに、鶏舎に流入した気流の直進性を増すことができ、送風開口から遠くに位置する鶏舎中央部付近の家畜の頭高さにおいても、所定の風速の気流を供給することができ、畜舎内で広範囲において家畜の体温を効果的に下げることができる畜舎用換気送風システムを提供することができる。また、扉が閉状態には、送風開口からの鶏舎内部に気流が流入しないため上部風向内ガイドは不要であり、また、その場合に、他の開口から鶏舎内部に気流が流入している場合には、風の抵抗にならず、飼育管理を向上させることができる。
【００２９】
また、請求項７に係る畜舎用換気送風システムは、畜舎内側において前記送風開口は前記送風開口の側部に側部ガイドを備え、前記開閉機構の扉は、前記扉の側面に接続された板体を備えたものであって、前記扉の開状態時に、前記板体が側部風向内ガイドとなる構成としてもよい。
【００３０】
これにより、扉が開状態、すなわち送風開口から鶏舎内部に気流が流入する場合、扉の側面に接続された板体が側部風向内ガイドとなり、家畜の頭高さ近傍に配置した送風開口から鶏舎内部に流入した気流が、送風開口の鶏舎内側に設けた側部風向内ガイドにより、送風開口近傍において横方向に拡散することを抑制することができるとともに、鶏舎に流入した気流の直進性を増すことができ、送風開口から遠くに位置する鶏舎中央部付近の家畜の頭高さにおいても、所定の風速の気流を供給することができ、畜舎内で広範囲において家畜の体温を効果的に下げることができる畜舎用換気送風システムを提供することができる。また、扉が閉状態には、送風開口からの鶏舎内部に気流が流入しないため側部風向内ガイドは不要であり、また、その場合に、他の開口から鶏舎内部に気流が流入している場合には、風の抵抗にならず、飼育管理を向上させることができる。
【００３１】
また、請求項８に係る畜舎用換気送風システムは、畜舎外側において、前記送風開口は、前記送風開口の上部に上部風向外ガイドを備えた構成としてもよい。
【００３２】
これにより、畜舎外側に設けた上部風向外ガイドにより、整流された気流が送風開口から鶏舎内部に気流が流入し、鶏舎に流入した気流の直進性を増すことができ、送風開口から遠くに位置する鶏舎中央部付近の家畜の頭高さにおいても、所定の風速の気流を供給することができ、畜舎内で広範囲において家畜の体温を効果的に下げることができる畜舎用換気送風システムを提供することができる。
【００３３】
また、請求項９に係る畜舎用換気送風システムは、前記上部風向外ガイドは、壁面から略垂直方向に延伸した構成としてもよい。
【００３４】
これにより、畜舎外側に設けた上部風向外ガイドが壁面から略垂直方向に延伸しているため、鶏舎に流入した気流の直進性を増すことができ、送風開口から遠くに位置する鶏舎中央部付近の家畜の頭高さにおいても、所定の風速の気流を供給することができ、畜舎内で広範囲において家畜の体温を効果的に下げることができる畜舎用換気送風システムを提供することができる。
【００３５】
また、請求項１０に係る畜舎用換気送風システムは、前記開閉機構は、前記送風開口内に複数の可動式板体を備えたものであって、前記可動式板体が開状態時に前記側面と略垂直とした構成としてもよい。
【００３６】
これにより、可動式板体が開状態時に送風開口を備えた壁面と略垂直となることで、可動式板体が整流板となり、鶏舎に流入する気流を整流し、直進性を増すことができ、送風開口から遠くに位置する鶏舎中央部付近の家畜の頭高さにおいても、所定の風速の気流を供給することができ、畜舎内で広範囲において家畜の体温を効果的に下げることができる畜舎用換気送風システムを提供することができる。
（実施の形態１）
以下、本発明の実施の形態について、図面を参照しながら説明する。
【００３７】
図１は、本発明に係る鶏用の畜舎用換気送風システムの構成を示す屋外から見た畜舎の概略側面断面図、図２は、送風開口の開閉機構開状態の概略断面図、図３は、送風開口の開閉機構閉状態の概略断面図である。
【００３８】
図１に示すように、畜舎用換気送風システムは、換気扇３と流吸込口５と上部吸込口６と畜舎１内へ気流を流入する送風開口７とを備えている。
【００３９】
換気扇３は、家畜（鶏（ブロイラー））２が飼育されている畜舎（鶏舎）１の一方の壁面に、畜舎内の床面から０．５〜２．５ｍ程度の高さに複数台配設されている。
【００４０】
上流吸込口５は、換気扇３が配設されている壁面と対向する反対側壁面（他方の壁面）近傍の側壁面４に配置されている。
【００４１】
上流吸込口５は、床面から０．５〜２ｍ程度の高さに配設されている。
【００４２】
上部吸込口６は、側壁面４の上部の床面から２ｍ以上の高さに配設されている。
【００４３】
上流吸込口５と上部吸込口６とは、それぞれ自動または手動で開閉できる吸込口カバー（図示せず）を設けて、家畜の種類、成長度合いによって、必要に応じて開閉することができるようにしてもよい。
【００４４】
送風開口７は、畜舎１の両側の側壁面４に、家畜２としての鶏の頭の高さ近傍である床面から１０〜９０ｃｍ程度の高さに備えられている。送風開口７は、横長の開口部が好ましく、例えば、鶏舎の柱の間に高さ０．３ｍ、長さ１．７ｍからなる約０．５ｍ２の開口を複数備えても良い。
【００４５】
送風開口７の開口状態調整することで送風開口７から畜舎１内への外気の流入を制御することができる。そこで、送風開口７には、側壁面４の畜舎１内側に開閉機構１０を備えている。開閉機構１０は、気流の流入を制御する扉８と扉８を回動させる開閉軸９を有する。
【００４６】
開閉軸９は、送風開口７の上部に位置し、側壁面４に対して扉８を回動自在に軸支し、扉８の開閉を可能とする。
【００４７】
扉８は、扉８が開状態時に上部風向内ガイド１１となり、送風開口７から畜舎１内に流入する気流が畜舎１内上方に拡散することを抑制し、気流の直進性を向上させるように、側壁面４から略垂直となる。
【００４８】
また、扉８は、扉８の側面には板体１２を接続して備えている。板体１２は、扉８の開状態時に側部風向内ガイド１３となり、送風開口７から畜舎１内に流入する気流が畜舎１の側壁面４に沿った方向に拡散することを抑制するものである。気流の直進性を向上させるために側壁面４から略垂直に立設することが望ましい。
【００４９】
扉８を開閉するために、扉８にワイヤーをつなぎ、モータを使ってワイヤーを上下に巻き取ることで開閉制御が可能である。なお、開閉軸９にギアとモータを接続し、モータの回転方向を制御することで開閉制御をしてもよい。
【００５０】
また、側壁面４の畜舎１外側には、側壁面４から略垂直に延設した上部風向外ガイド１４を備えても良い。送風開口７から畜舎１内に流入する気流の直進性をさらに向上させることができる。
【００５１】
また、送風開口７は、送風開口７内に複数の可動式板体１５を備えても良い。扉８の回動に連動させて、扉８が開状態時に可動式板体１５も開状態とするものである。可動式板体１５が開状態時は、可動式板体１５が側壁面４と略垂直となり、整流板の役割を果たし、送風開口７から畜舎１内に流入する気流の直進性を向上させることができる。
【００５２】
上記構成において、畜舎用換気送風システムの動作について説明する。
【００５３】
換気扇３を運転することで、上流吸込口５、上部吸込口６、または送風開口７のいずれかから外気が流入し、換気扇３から畜舎１内の空気が排出され、換気される。基本的な換気量としては、飼育されている家畜の種類、成長度合いによって、最低必要な酸素濃度、もしくは二酸化炭素濃度の上限値が決まっており、その濃度を確保するための換気量から、必要な換気扇の種類と台数を選定し設置される。また、このような畜舎用換気送風システムは、換気扇３、上流吸込口５と上部吸込口６の吸込口カバー、送風開口７の開閉機構１０を集中管理する制御システムにて畜舎１内の換気量および気流を制御することができる。
【００５４】
例えば、家畜２が鶏（ブイロラー）である場合、生後０〜１４日齢では、鶏の体感温度が２６〜３２℃で気流が無い状態が最適であり、外気の吸込口として、上部吸込口６のみを開け、上流吸込口５と送風開口７とを閉じた状態で、複数の換気扇３のうち一部の換気扇３を稼働させることにより、畜舎１内の温度を鶏の日齢にあわせた２６〜３２℃に維持管理する。なお、稼働させる換気扇３は、主として畜舎１壁面の上段に設置した換気扇３であり、上部吸込口６から換気扇３に向かって気流が発生し、畜舎１の天井近傍に気流が流れ、床面近傍、すなわち家畜近傍はほとんど風が流れないようにする。
【００５５】
また、１５〜３５日齢では、鶏の体感温度が１９〜２６℃で、鶏の成長度合い、ならびに畜舎１内温度と外気温度の条件を加味し、酷暑においては気流の風速は１ｍ／ｓ以上の状態が最適である。１５〜３５日齢の期間中、１５〜２１日齢では、外気の吸込口として、上部吸込口６のみを開け、上流吸込口５と送風開口７とを閉じた状態で、複数の換気扇３のうち一部の換気扇３を稼働させることにより、畜舎１内の温度を鶏の日齢にあわせた２５〜２６℃に維持管理し、夏季の外気温度が鶏の日齢の適温よりも高く、畜舎１内の温度が鶏の適温に維持管理できない場合は、換気扇３の稼働台数を増やし、鶏近傍に気流を発生させ、鶏の体感温度が２５〜２６℃になるように維持管理する。
【００５６】
また、１５〜３５日齢の期間中、２２〜３５日齢では、鶏の体感温度が１９〜２４℃となり、外気温度が高い夏季の特に日中においては、上部吸込口６と上流吸込口５、ならびに送風開口７を適宜開けて、複数の換気扇３のうち一部の換気扇を稼働させることにより、畜舎１内の温度を鶏の日齢にあわせた１９〜２４℃に維持管理する。ただし、夏季の外気温度が鶏の日齢の適温よりも高く、畜舎１内の温度が鶏の適温に維持できない場合で、鶏の体感温度が１９〜２４℃になるような風速を提供するにあたり、上流吸込口５を開けると、畜舎１内の酸素濃度、二酸化炭素濃度、アンモニア濃度などの臭気を含め、最適な空気環境を得るための最低換気量よりも十分大きな換気量となる場合は、上流吸込口５を閉めるもしくは、開口度合いを調節し、送風開口７を開くことにより、換気扇３の稼働台数を増加させずに鶏近傍の風速を上げることができ、省エネとなる上に、鶏の体感温度が１９〜２４℃になるような風速を供給することができる。
【００５７】
ここで、気流について詳しく説明すると、送風開口７を開けた場合、送風開口７から吸込まれた外気は、鶏の頭の高さ近傍を高速で移動しながら、風の主流は、一方の壁面方向にある換気扇３に向かって床面に対して水平に流れる。また、上部風向内ガイド１１と側部風向内ガイド１３と上部風向外ガイド１４と複数の可動式板体１５との作用により、畜舎１内に流入する外気が整流されることで、直進性が向上しており、畜舎１中央付近の鶏の頭の高さ近傍にまで、高速の気流を提供することができ、鶏の体温を効果的に下げることができるとともに、鶏近傍の酸素濃度、二酸化炭素濃度、アンモニア濃度などの臭気を含め、最適な空気環境を提供することができる。
【００５８】
また、成長した鶏である３６日齢〜出荷まで（約５０日齢）では、鶏の体感温度が１７〜１８℃で気流は風速１ｍ／ｓ以上の状態が最適であり、外気温度が高い夏季の特に日中においては、畜舎１内は、鶏の最適体感温度まで下がらず、積極的に家畜２すなわち鶏に風を当てる必要がある。よって、畜舎１内の上部に気流を発生させ、家畜２付近に気流があまり発生しない上部吸込口６は閉め、畜舎１全体に気流を発生させる上流吸込口５を開ける。鶏の体感温度を下げるための風速として風速３ｍ／ｓ以下にて十分な環境条件下では、上流吸込口５と送風開口７を開ける。この状態で、鶏近傍の風速が所定の風速となるように換気扇３の一部を稼働させる。送風開口７は、家畜２の頭近傍に設けられた開口であり、上部風向内ガイド１１と側部風向内ガイド１３と上部風向外ガイド１４と複数の可動式板体１５との作用により、畜舎１内に流入する外気が整流されることで、直進性が向上しており、畜舎１中央付近の鶏の頭の高さ近傍にまで高速の気流を提供することができ、鶏の体温を効果的に下げることができ、飼育管理を向上させることができる。また、この動作条件においては、畜舎１内の平均風速よりも、鶏近傍の風速が早くなり、必要最低換気量は満足しつつ、畜舎１の換気量を低減することができ、省エネ効果も得ることができる。
【００５９】
次に、鶏の体感温度を下げるための風速として風速３ｍ／ｓ以下では不十分な環境条件下では、上流吸込口５を開けた状態で、風速３ｍ／ｓとなるように換気扇３を稼働させ、その状態で、送風開口７を短時間に開閉を繰り返すように制御する。これにより、開口された送風開口７の周囲の風速が一時的に風速３ｍ／ｓよりも速い風速、本実施の形態では風速４ｍ／ｓ程度で動作させることができ、鶏近傍には、風速３ｍ／ｓと風速４ｍ／ｓの気流が短時間に繰り返し発生することができ、鶏のストレス度合いが少なく、鶏の体温を効果的に下げることができる。なお、風速３ｍ／ｓを超える気流を成長した鶏に与えると、成長した鶏にストレスが発生することが一般的に知られているため、風速４ｍ／ｓ程度の風を常時発生させるのではなく、所定時間間隔で風速を変動させることで、鶏のストレス度合いが少なくなる。この間欠の送風制御は、風速４ｍ／ｓと送風停止とを繰り返す制御や、風速４ｍ／ｓと風速３ｍ／ｓとを繰り返す制御でもよい。
【００６０】
ここで、２２日齢時の鶏について、具体的な畜舎用換気送風システムの動作について説明する。
【００６１】
図４は、鶏（ブロイラー）を飼育するために、２２日齢以降の日齢毎の最適飼育温度を示している。図５は、風速による体感温度の低下温度の一例を示している。図６は、鶏が２２日齢時の畜舎内温度に対する畜舎内の対応風速の関係の一例を示している。
【００６２】
図４に示す通り、鶏は成長するに従い、最適温度が低くなっているが、夏季の暑い日は、最適飼育温度よりも外気温度が高くなり、その場合、送風によって、鶏の体感温度を下げる必要がある。
【００６３】
図５に、風速による体感温度の低下温度の一例を示している。体感温度は、湿度と風速の組み合わせによって異なる。図５では、湿度５０％且つ風速０ｍ／ｓ時の畜舎内温度を体感温度の基準とした場合、湿度８０％時に風速に対する畜舎内温度の体感として感じる温度を示している。例えば、湿度８０％且つ風速０ｍ／ｓ時は、前述の基準である湿度５０％且つ風速０ｍ／ｓ時と比較すると体感温度は３．９℃高く、湿度８０％且つ風速３ｍ／ｓ時は、前述の基準より６．９℃低い温度と感じることを示している。
【００６４】
鶏が２２日齢時の畜舎用換気送風システムの動作一例を図６に基づいて説明すると、湿度８０％で、畜舎１内温度が、２９．９℃時には、上部吸込口６を閉め、上流吸込口５と送風開口７を開け、家畜２近傍の風速を２．５ｍ／ｓにするように換気扇３の一部を稼働させる。これにより、図５に示す家畜２（鶏）の体感温度の低下温度の一例に基づくと、風速２．５ｍ／ｓにすることにより、鶏の体感温度が畜舎１内温度に対し−５．９℃となり、実質２４℃となる。即ち、図４の最適飼育温度に示す通り、２２日齢の鶏に対して２４℃で飼育できることになる。
【００６５】
その後、畜舎１内温度が、３０．８℃まで上昇すると、図６の畜舎１内温度に対する畜舎１内の対応風速の関係に基づき、風速を３．０ｍ／ｓにするように換気扇３の稼働台数を増加させるまたは、稼働周波数を上げることにより、換気扇３の１台あたりの風量を増加させる。つまり、図５に示す体感温度の低下温度の一例に基づくと、風速３．０ｍ／ｓにすることにより、鶏の体感温度が−６．９℃となり、実質２３．９℃となる。即ち、図４の最適飼育温度に示す通り、２２日齢の鶏に対して、ほぼ２４℃で飼育できることになる。
【００６６】
さらにその後、畜舎１内温度が、２９．８℃まで低下すると、畜舎１内の対応風速の関係に基づき、風速を２．５ｍ／ｓにするように換気扇３の稼働台数を減少させるまたは、稼働周波数を下げることにより換気扇３の１台あたいの風量を低下させる。つまり、図５に示す体感温度の低下温度の一例に基づくと、風速２．５ｍ／ｓにすることにより、鶏の体感温度が−５．９℃となり、実質２４℃となる。即ち、図４の最適飼育温度に示す通り、２２日齢の鶏に対して、２４℃で飼育できることになり、常にブロイラーの体感温度を図４に示す最適飼育温度で飼育できるように管理する。
【００６７】
また、畜舎内温度が３２．０℃以上となった場合、通常の畜舎においては、常時風速３ｍ／ｓを超える風速を与えると、前述した通り鶏がストレスを感じると言われており、畜舎１内温度が３２．０℃以上に上昇した場合、すなわち鶏の体感温度が空冷にて冷やしきれなくなった場合は、常時風速３ｍ／ｓで維持管理する他に、畜舎内にスプレーノズル等を用いた噴霧システムを用いて、畜舎内に水を噴霧し、水の蒸発潜熱により畜舎内の温度を低下させる場合もある。しかしながら、噴霧システムを用いた方法では、畜舎内の温度は低下しても、湿度が高くなり、空冷効果は小さくなり、鶏の体感温度を下げることが困難である。また、畜舎内の湿度が高くなり、畜舎に床に敷かれている敷料（おが屑等）の保有水分量が増加し、病気の発生を助長させ、飼育管理レベルを低下させる。詳しく述べると、畜舎内の温度が３０℃以上ある状態で敷料の水分量が増加すると、鶏の糞尿に含まれる尿酸の分解が促進され畜舎内のアンモニア濃度が増加し、鶏に寄生する原虫や細菌が敷料中で繁殖し、様々な病気を引き起こすため、鶏の成長を阻害し、場合によっては鶏のへい死につながる。
【００６８】
それに対し、本実施の形態で示す畜舎用換気送風システムでは、畜舎１内温度が３２．０℃以上となると、上部吸込口６を閉め、上流吸込口５を開けた状態で、風速３ｍ／ｓとなるように換気扇３を稼働させ、その状態で、送風開口７を短時間に開閉を繰り返すように制御する。これにより、開口された送風開口７の周囲の風速が一時的に風速３ｍ／ｓよりも速い風速、本実施の形態では風速４ｍ／ｓ程度で動作させることができ、鶏近傍には、風速３ｍ／ｓと風速４ｍ／ｓの気流が短時間に繰り返し発生することができ、３２．０℃以上の畜舎１内環境においても鶏のストレス度合いが少なく、鶏の体温を効果的に下げることができる。
【００６９】
具体的な間欠送風制御としては、畜舎内温度が３２．０℃以上のときは、風速３．０ｍ／ｓを３分間送風したのち、風速４．０ｍ／ｓを３分間送風し、また風速３．０ｍ／ｓを３分間送風することを繰り返し行い、畜舎内温度が３０．８℃に下がったときに、通常の３．０ｍ／ｓの風速を連続に送風するといった制御を行なう。
この間欠送風制御が鶏にストレスを与えないことについて、実証実験を行なった。畜舎（４．６ｍ×３．７ｍ×高さ２．４ｍ）を２つ用意し、その畜舎内に、それぞれ飼育エリア（２．６ｍ×２．６ｍ）を設け、それぞれ鶏を１００羽飼育した。なお、鶏は２１日齢までは、別の畜舎で雛から飼育されていたもので、２２日齢に、それぞれの畜舎の平均体重同じ（約７５０ｇ）になるように１００羽ずつ振り分けし、それぞれの畜舎の鶏から、７５０ｇに近い鶏を各２０羽抽出し、２０羽の平均の体重を測定した。
【００７０】
前述の一方の畜舎では、壁面に設置した換気扇３のみを用い、一般的な風速の与え方である３ｍ／ｓまでの通常の風速制御で飼育した。
【００７１】
また、他方の畜舎は、壁面に設置した換気扇３と、床面から３０〜７０ｃｍ程度、つまり鶏の頭の高さ近傍に送風可能な装置を設け、畜舎内温度が３２．０℃以上になったときに、鶏の頭の高さ近傍の風速が、風速３．０ｍ／ｓと風速４．０ｍ／ｓを交互に発生させるような仕組みとした畜舎で飼育した。
【００７２】
それぞれの環境で飼育した鶏を１週間毎に２０羽の平均体重を測定した結果を図７に示す。その結果、畜舎内温度が３２．０℃以上になったときに、風速３．０ｍ／ｓと風速４．０ｍ／ｓを交互に発生させる制御を行なった他方の畜舎の方が、４９日齢時点で体重の増加が大きかった。つまり、風速３．０ｍ／ｓと風速４．０ｍ／ｓを交互に間欠送風制御を行なった鶏は大きなストレスを受けていなかったと判断できる。
【００７３】
以上のように、扉８と可動式板体１５とが開状態時に、換気扇３を動作させると送風開口７から畜舎１内に外気が入流する。
【００７４】
本実施の形態の構成では、送風開口７には、上部風向内ガイド１１と側部風向内ガイド１３と上部風向外ガイド１４と可動式板体１５とが備えられており、それぞれ側壁面４に対し略垂直になるように配設されている。これにより、送風開口７から畜舎１内に流入する外気は、側壁面４に対し略垂直方向の直進性が高くなっており、送風開口７から流入した気流の主流は、畜舎１内の略中央まで鶏の頭の高さ近傍を床に略水平に流れ、最終的に一方の壁面に設けられた換気扇３に吸い込まれ、畜舎１外に排気される。この気流は、畜舎１内の平均風速に対し、鶏近傍の風速を高める効果を持っており、上流吸込口５と上部吸込口６からのみ畜舎１内に外気が流入した場合に対して、畜舎１内の換気量を少なくしても、畜舎１内の広範囲に気流を到達させることができ、鶏を風冷することができ、家畜２の体温を効率的に下げることができる。
【００７５】
本実施の形態では家畜を鶏として説明したが、家畜の種類としては複数あり、鶏以外の豚や牛もそれぞれの頭上の高さに送風機を設置することで同様の効果を奏することができる。
【産業上の利用可能性】
【００７６】
以上のように本発明にかかる畜舎用換気送風システムは、送風開口に備えた開閉機構の動作によって間欠送風することにより、酷暑であっても、鶏のストレス度合いが少なく、鶏の体温を効果的に下げることができ、飼育管理を向上させることができるので、畜舎用換気送風システムとして有用である。
【符号の説明】
【００７７】
１    畜舎
２    家畜
３    換気扇
４    側壁面
５    上流吸込口
６    上部吸込口
７    送風開口
８    扉
９    開閉軸
１０    開閉機構
１１    上部風向内ガイド
１２    板体
１３    側部風向内ガイド
１４    上部風向外ガイド
１５    可動式板体
【図１】
2018123968.tif 000003
【図２】
2018123968.tif 000004
【図３】
2018123968.tif 000005
【図４】
2018123968.tif 000006
【図５】
2018123968.tif 000007
【図６】
2018123968.tif 000008
【図７】
2018123968.tif 000009
【図８】
2018123968.tif 000010
【図９】
2018123968.tif 000011